【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
ユーザの操作によって所定方向に操作可能な操作部によって示される位置に応じた処理を実行する表示制御装置であって、
立体視表示可能な表示手段に立体視画像を表示させる表示制御手段と、
既に撮像された右目用画像と左目用画像とを用いる第１のモードと、２台の仮想カメラで仮想空間を撮像した右目用画像と左目用画像とを用いる第２のモードのいずれかを選択するモード選択手段と、
前記表示手段に前記立体視画像が表示されている間に、ユーザによる前記操作部に対する操作を繰り返し受け付け、当該操作によって調整された前記操作部によって示される位置に応じて前記２台の仮想カメラ間の距離が調整されるように、前記２台の仮想カメラを調整する仮想カメラ調整手段と、を備え、
前記表示制御手段は、
前記モード選択手段で前記第１のモードが選択されている場合、前記既に撮像された右目用画像と左目用画像とを用いて前記立体視画像を表示させ、前記操作部によって示される位置に応じて、前記立体視画像を表示させるか、平面画像を表示させるかを切り替え、
前記モード選択手段で前記第２のモードが選択されている場合、前記２台の仮想カメラで仮想空間を撮像することによって取得された右目用画像と左目用画像とを用いて前記立体視画像を表示させ、前記仮想カメラ調整手段によって前記２台の仮想カメラが調整された場合に、当該調整された２台の仮想カメラで前記仮想空間を撮像して取得された右目用画像と左目用画像とを用いて、前記立体視画像の表示を更新する、表示制御装置。
【請求項２】
前記表示制御手段は、前記モード選択手段で前記第１のモードが選択されている場合において、前記操作部によって示される位置が所定位置である場合にのみ、前記立体視画像を表示させる、請求項１に記載の表示制御装置。
【請求項３】
前記表示制御手段は、前記モード選択手段で前記第１のモードが選択されている場合において、前記操作部によって示される位置が所定の範囲のうちのである場合にのみ、前記立体視画像を表示させる、請求項２に記載の表示制御装置。
【請求項４】
前記表示制御手段は、前記モード選択手段で前記第１のモードが選択されており、かつ、前記操作部によって示される位置が前記所定の範囲内に位置する場合に、前記操作部によって示される位置が前記所定の範囲内のどの位置にあるかに関わらず、同じ立体感で前記立体視画像を表示させる、請求項３に記載の表示制御装置。
【請求項５】
前記表示制御手段は、前記モード選択手段で前記第１のモードが選択されており、かつ、前記操作部によって示される位置が前記所定の範囲内に位置する場合に、前記操作部によって示される位置が前記所定の範囲内のどの位置にあるかに関わらず、前記既に撮像された右目用画像と左目用画像との相対的な位置を決定して前記立体視画像を表示させる、請求項３または４に記載の表示制御装置。
【請求項６】
前記操作部は前記表示制御装置のハウジングに設けられ、ユーザの操作によって可動する機構を有する操作部である、請求項１から５の何れかに記載の表示制御装置。
【請求項７】
前記表示制御装置に固定的に設けられた左右のカメラを有する、実空間を撮像するステレオカメラを更に備え、
前記表示制御手段は、前記ステレオカメラによって撮像された右目用画像と左目用画像とを表示する場合に、前記モード選択手段で前記第１のモードを選択し、前記表示手段に立体視画像を表示させる、請求項１から６の何れかに記載の表示制御装置。
【請求項８】
ユーザの操作によって所定方向に操作可能な操作部によって示される位置に応じた処理を実行する表示制御装置のコンピュータにおいて実行される表示制御プログラムであって、
前記コンピュータを、
立体視表示可能な表示手段に立体視画像を表示させる表示制御手段と、
既に撮像された右目用画像と左目用画像とを用いる第１のモードと、２台の仮想カメラで仮想空間を撮像した右目用画像と左目用画像とを用いる第２のモードのいずれかを選択するモード選択手段と、
前記表示手段に前記立体視画像が表示されている間に、ユーザによる前記操作部に対する操作を繰り返し受け付け、当該操作によって調整された前記操作部によって示される位置に応じて前記２台の仮想カメラ間の距離が調整されるように、前記２台の仮想カメラを調整する仮想カメラ調整手段、として機能させ、
前記表示制御手段は、
前記モード選択手段で前記第１のモードが選択されている場合、前記既に撮像された右目用画像と左目用画像とを用いて前記立体視画像を表示させ、前記操作部によって示される位置に応じて、前記立体視画像を表示させるか、平面画像を表示させるかを切り替え、
前記モード選択手段で前記第２のモードが選択されている場合、前記２台の仮想カメラで仮想空間を撮像することによって取得された右目用画像と左目用画像とを用いて前記立体視画像を表示させ、前記仮想カメラ調整手段によって前記２台の仮想カメラが調整された場合に、当該調整された２台の仮想カメラで前記仮想空間を撮像して取得された右目用画像と左目用画像とを用いて、前記立体視画像の表示を更新する、表示制御プログラム。
【請求項９】
ユーザの操作によって所定方向に操作可能な操作部によって示される位置に応じた処理を実行する表示制御システムであって、
立体視表示可能な表示手段に立体視画像を表示させる表示制御手段と、
既に撮像された右目用画像と左目用画像とを用いる第１のモードと、２台の仮想カメラで仮想空間を撮像した右目用画像と左目用画像とを用いる第２のモードのいずれかを選択するモード選択手段と、
前記表示手段に前記立体視画像が表示されている間に、ユーザによる前記操作部に対する操作を繰り返し受け付け、当該操作によって調整された前記操作部によって示される位置に応じて前記２台の仮想カメラ間の距離が調整されるように、前記２台の仮想カメラを調整する仮想カメラ調整手段と、を備え、
前記表示制御手段は、
前記モード選択手段で前記第１のモードが選択されている場合、前記既に撮像された右目用画像と左目用画像とを用いて前記立体視画像を表示させ、前記操作部によって示される位置に応じて、前記立体視画像を表示させるか、平面画像を表示させるかを切り替え、
前記モード選択手段で前記第２のモードが選択されている場合、前記２台の仮想カメラで仮想空間を撮像することによって取得された右目用画像と左目用画像とを用いて前記立体視画像を表示させ、前記仮想カメラ調整手段によって前記２台の仮想カメラが調整された場合に、当該調整された２台の仮想カメラで前記仮想空間を撮像して取得された右目用画像と左目用画像とを用いて、前記立体視画像の表示を更新する、表示制御システム。
【請求項１０】
ユーザの操作によって所定方向に操作可能な操作部によって示される位置に応じた処理を実行する表示制御方法であって、
立体視表示可能な表示手段に立体視画像を表示させる表示制御ステップと、
既に撮像された右目用画像と左目用画像とを用いる第１のモードと、２台の仮想カメラで仮想空間を撮像した右目用画像と左目用画像とを用いる第２のモードのいずれかを選択するモード選択ステップと、
前記表示手段に前記立体視画像が表示されている間に、ユーザによる前記操作部に対する操作を繰り返し受け付け、当該操作によって調整された前記操作部によって示される位置に応じて前記２台の仮想カメラ間の距離が調整されるように、前記２台の仮想カメラを調整する仮想カメラ調整ステップと、を含み、
前記表示制御ステップにおいては、
前記モード選択ステップで前記第１のモードが選択されている場合、前記既に撮像された右目用画像と左目用画像とを用いて前記立体視画像を表示させ、前記操作部によって示される位置に応じて、前記立体視画像を表示させるか、平面画像を表示させるかを切り替え、
前記モード選択ステップで前記第２のモードが選択されている場合、前記２台の仮想カメラで仮想空間を撮像することによって取得された右目用画像と左目用画像とを用いて前記立体視画像を表示させ、前記仮想カメラ調整ステップにおいて前記２台の仮想カメラが調整された場合に、当該調整された２台の仮想カメラで前記仮想空間を撮像して取得された右目用画像と左目用画像とを用いて、前記立体視画像の表示を更新する、表示制御方法。